(57)【特許請求の範囲】
【請求項１】
表示部の表示領域内の位置を示す位置情報を受付ける受付手段と、
前記位置情報に基づいて対象機器の設定項目の内容を設定する設定手段と、
前記表示部に複数の案内表示を行ない、該複数の案内表示のうち前記受付手段で受け付けた該位置情報に対応した案内表示が残るように表示を制御する制御手段と
を有し、
前記設定手段は、案内表示による連続する位置情報が表す線に沿った軌跡を受付けた場合、該位置情報に関連付けられた内容を設定する
表示装置。
【請求項２】
前記制御手段は、前記内容に関連付けられた連続する位置情報と前記内容とにより前記表示部に設定方法を示す案内表示を行なう
請求項１記載の表示装置。
【請求項３】
前記制御手段は、前記設定手段によって設定された内容を示す表示をし、前記内容が設定された場合に、該内容を反映した表示をするように制御する
請求項１又は２記載の表示装置。
【請求項４】
前記制御手段は、前記設定手段によって設定された内容からは設定することができない設定項目に関する情報は表示しないように制御する
請求項１乃至３記載の表示装置。
【請求項５】
前記制御手段は、前記設定手段による設定がなされる頻度に応じて選択される設定項目についての案内表示を表示するように制御する
請求項１乃至４記載の表示装置。
【請求項６】
前記制御手段は、前記内容に関連付けられた連続する位置情報の少なくとも一部が重なっている場合は、交互に表示するように制御する
請求項２乃至５記載の表示装置。
【請求項７】
前記制御手段は、前記内容に関連付けられた連続する位置情報の少なくとも一部が重なっている場合は、相互に異なる色により表示するように制御する
請求項２乃至６記載の表示装置。
【請求項８】
前記制御手段は、複数の軌跡に基づいて前記設定手段による設定がなされる内容に対応する、連続する位置情報について、表示する他の連続する位置情報とは異なる色で表示するように制御する
請求項２乃至７記載の表示装置。
【請求項９】
前記制御手段は、前記設定手段により設定される内容に関連付けられた連続する位置情報及び該内容のうち、表示対象として設定されたものを表示するように制御する
請求項２乃至８記載の表示装置。
【請求項１０】
表示部の表示領域内の位置を示す位置情報を受付ける受付手段と、
前記位置情報に基づいて自装置の設定項目の内容を設定する設定手段と、
前記表示部に複数の案内表示を行ない、該複数の案内表示のうち前記受付手段で受け付けた該位置情報に対応した案内表示が残るように表示を制御する制御手段と
前記設定手段により設定された内容に基づいて画像を印刷する印刷手段と
を有し、
前記設定手段は、案内表示による連続する位置情報が表す線に沿った軌跡を受付けた場合、該位置情報に関連付けられた内容を設定する
画像形成装置。
【請求項１１】
前記設定手段は、短辺綴じの両面印刷を行なう設定、長辺綴じの両面印刷を行なう設定、２頁分の画像について１枚の用紙に印刷を行なう設定、小冊子として印刷する設定、原稿の向きを変更して印刷を行なう設定、出力する用紙サイズを拡大して印刷を行なう設定、又は出力する用紙サイズを縮小して印刷を行なう設定のうち、少なくともいずれか一つを設定する
請求項１０記載の画像形成装置。
【請求項１２】
表示部の表示領域内の位置を示す位置情報を受付ける受付手段と、
前記位置情報に基づいて自装置の設定項目の内容を設定する設定手段と、
前記表示部に複数の案内表示を行ない、該複数の案内表示のうち前記受付手段で受け付けた該位置情報に対応した案内表示が残るように表示を制御する制御手段と
前記設定手段により設定された内容に基づいて、被写体を撮影して撮影画像を取得する画像取得手段と
を有し、
前記設定手段は、案内表示による連続する位置情報が表す線に沿った軌跡を受付けた場合、該位置情報に関連付けられた内容を設定する
撮像装置。
【請求項１３】
前記設定手段は、撮影感度の設定、撮影画像の色合いを補正する補正量の設定、被写体に応じて予め定められた設定内容により撮影画像を取得するようにする設定、撮影画像の画素数の設定のうち、少なくともいずれか一つを設定する
請求項１２記載の撮像装置。
【請求項１４】
表示部の表示領域内の位置を示す位置情報を受付ける受付ステップと、
前記位置情報に基づいて対象機器の設定項目の内容を設定する設定ステップと、
前記表示部に複数の案内表示を行ない、該複数の案内表示のうち前記受付ステップで受け付けた該位置情報に対応した案内表示が残るように表示を制御する制御ステップと
をコンピュータに実行させ、
前記設定ステップでは、案内表示による連続する位置情報が表す線に沿った軌跡を受付けた場合、該位置情報に関連付けられた内容を設定する
るプログラム。
【発明の詳細な説明】
【技術分野】
【０００１】
本発明は、入力表示装置、画像形成装置、撮像装置、及びプログラムに関する。
【背景技術】
【０００２】
特許文献１は、ジェスチャーをうろ覚えであるなど、規定通りのジェスチャーが入力できなかった場合でも意図する機能を選択できる文書編集方法として、操作者によりジェスチャーが入力された際、その入力されたジェスチャーの軌跡に応じて可能性がある複数の候補名を同時に表示し、操作者は、この複数の候補名の中から所望の機能名を選択することについて開示している。
【先行技術文献】
【特許文献】
【０００３】
【特許文献１】特開平６−２４２８８５号公報
【発明の概要】
【発明が解決しようとする課題】
【０００４】
本発明の目的は、ジェスチャーを覚えていなくても所望の設定を行うことができる入力表示装置、画像形成装置、及びプログラムを提供することである。
【課題を解決するための手段】
【０００５】
［表示装置］
請求項１に係る本発明は、表示部の表示領域内の位置を示す位置情報を受付ける受付手段と、
前記位置情報に基づいて対象機器の設定項目の内容を設定する設定手段と、
前記設定項目の内容に関連付けられた連続する位置情報と前記内容とを前記表示部に表示するように制御する制御手段とを有する表示装置である。
【０００６】
請求項２に係る本発明は、前記制御手段は、前記設定手段によって設定された内容を示す表示をし、前記内容が設定された場合に、該内容を反映した表示をするように制御する請求項１又は２記載の表示装置である。
【０００７】
請求項３に係る本発明は、前記制御手段は、前記設定手段によって設定された内容を示す表示をし、前記内容が設定された場合に、該内容を反映した表示をするように制御する請求項１又は２記載の表示装置である。
【０００８】
請求項４に係る本発明は、前記制御手段は、前記設定手段によって設定された内容からは設定することができない設定項目に関する情報は表示しないように制御する
請求項１乃至３記載の表示装置である。
【０００９】
請求項５に係る本発明は、前記制御手段は、前記設定手段による設定がなされる頻度に応じて選択される、前記内容に関連付けられた連続する位置情報と該内容とを表示するように制御する請求項１乃至４記載の表示装置である。
【００１０】
請求項６に係る本発明は、前記制御手段は、前記内容に関連付けられた連続する位置情報の少なくとも一部が重なっている場合は、交互に表示するように制御する
請求項１乃至５記載の表示装置である。
【００１１】
請求項７に係る本発明は、前記制御手段は、前記内容に関連付けられた連続する位置情報の少なくとも一部が重なっている場合は、相互に異なる色により表示するように制御する請求項１乃至６記載の表示装置である。
【００１２】
請求項８に係る本発明は、前記制御手段は、複数の軌跡に基づいて前記設定手段による設定がなされる内容に対応する、連続する位置情報について、表示する他の連続する位置情報とは異なる色で表示するように制御する請求項１乃至７記載の表示装置である。
【００１３】
請求項９に係る本発明は、前記制御手段は、前記設定手段により設定される内容に関連付けられた連続する位置情報及び該内容のうち、表示対象として設定されたものを表示するように制御する請求項１乃至８記載の表示装置である。
【００１４】
［画像形成装置］
請求項１０に係る本発明は、表示部の表示領域内の位置を示す位置情報を受付ける受付手段と、前記位置情報に基づいて自装置の設定項目の内容を設定する設定手段と、前記設定項目の内容に関連付けられた連続する位置情報と前記内容とを前記表示部に表示するように制御する制御手段と前記設定手段により設定された内容に基づいて画像を印刷する印刷手段とを有する画像形成装置である。
【００１５】
請求項１１に係る本発明は、前記設定手段は、短辺綴じの両面印刷を行なう設定、長辺綴じの両面印刷を行なう設定、２頁分の画像について１枚の用紙に印刷を行なう設定、小冊子として印刷する設定、原稿の向きを変更して印刷を行なう設定、出力する用紙サイズを拡大して印刷を行なう設定、又は出力する用紙サイズを縮小して印刷を行なう設定のうち、少なくともいずれか一つを設定する請求項１０記載の画像形成装置である。
【００１６】
［撮像装置］
請求項１２に係る本発明は、表示部の表示領域内の位置を示す位置情報を受付ける受付手段と、
前記位置情報に基づいて自装置の設定項目の内容を設定する設定手段と、前記設定項目の内容に関連付けられた連続する位置情報と前記内容とを前記表示部に表示するように制御する制御手段と前記設定手段により設定された内容に基づいて、被写体を撮影して撮影画像を取得する画像取得手段とを有する撮像装置である。
【００１７】
請求項１３に係る本発明は、前記設定手段は、撮影感度の設定、撮影画像の色合いを補正する補正量の設定、被写体に応じて予め定められた設定内容により撮影画像を取得するようにする設定、撮影画像の画素数の設定のうち、少なくともいずれか一つを設定する請求項１２記載の撮像装置である。
【００１８】
［プログラム］
請求項１４に係る本発明は、表示部の表示領域内の位置を示す位置情報を受付ける受付ステップと、前記位置情報に基づいて対象機器の設定項目の内容を設定する設定ステップと、前記設定項目の内容に関連付けられた連続する位置情報と該内容とを前記表示部に表示するように制御する表示制御ステップとをコンピュータに実行させるプログラムである。
【発明の効果】
【００１９】
請求項１に係る本発明によれば、ジェスチャーを覚えていなくても所望の設定を行うことができる入力表示装置を提供することができる。
【００２０】
請求項２に係る本発明によれば、請求項１に係る発明の効果に加え、操作者が指定した位置に関連するジェスチャーの案内に限定して表示することができる入力表示装置を提供することができる。
【００２１】
請求項３に係る本発明によれば、請求項１又は２に係る本発明の効果に加え、本構成を有していない場合と比べ、操作者が設定状況を把握しやすい入力表示装置を提供することができる。
【００２２】
請求項４に係る本発明によれば、請求項１乃至３に係る本発明の効果に加え、本構成を有していない場合と比べ、操作者が設定可能な設定を行ないやすい入力表示装置を提供することができる。
【００２３】
請求項５に係る本発明によれば、請求項１乃至４に係る本発明の効果に加え、操作者が設定する可能性がある設定内容の案内表示に限定して表示することができる入力表示装置を提供することができる。
【００２４】
請求項６に係る本発明によれば、請求項１乃至５に係る本発明の効果に加え、本構成を有していない場合と比べ、操作者が設定に必要なジェスチャーを把握しやすい入力表示装置を提供することができる。
【００２５】
請求項７に係る本発明によれば、請求項１乃至６に係る本発明の効果に加え、本構成を有していない場合と比べ、操作者が設定に必要なジェスチャーを把握しやすい入力表示装置を提供することができる。
【００２６】
請求項８に係る本発明によれば、請求項１乃至７に係る本発明の効果に加え、本構成を有していない場合と比べ、複数のジェスチャーを伴ってなされる設定について必要なジェスチャーを把握しやすい入力表示装置を提供することができる。
【００２７】
請求項９に係る本発明によれば、請求項１乃至８に係る本発明の効果に加え、操作者の希望に応じたジェスチャーの案内を提供することができる入力表示装置を提供することができる。
【００２８】
請求項１０に係る本発明によれば、ジェスチャーを覚えていなくても、所望の設定による印刷を行うことができる画像形成装置を提供することができる。
【００２９】
請求項１１に係る本発明によれば、ジェスチャーを覚えていなくても、短辺綴じの両面印刷を行なう設定、長辺綴じの両面印刷を行なう設定、２頁分の画像について１枚の用紙に印刷を行なう設定、小冊子として印刷する設定、原稿の向きを変更して印刷を行なう設定、出力する用紙サイズを拡大して印刷を行なう設定、又は出力する用紙サイズを縮小して印刷を行なう設定のうち、少なくともいずれかの設定による印刷を行うことができる画像形成装置を提供することができる。
【００３０】
請求項１２に係る本発明によれば、ジェスチャーを覚えていなくても、所望の設定により、被写体を撮影して撮影画像を取得することができる撮像装置を提供することができる。
【００３１】
請求項１３に係る本発明によれば、ジェスチャーを覚えていなくても、撮影感度の設定、撮影画像の色合いを補正する補正量の設定、被写体に応じて予め定められた設定内容により撮影画像を取得するようにする設定、撮影画像の画素数の設定のうち、少なくともいずれかの設定により、被写体を撮影して撮影画像を取得することができる撮像装置を提供することができる。
【００３２】
請求項１４に係る本発明によれば、ジェスチャーを覚えていなくても所望の設定を行うことができるプログラムを提供することができる。
【図面の簡単な説明】
【００３３】
【図１】本発明の第１実施形態に係る情報処理システム２の構成を示す模式図である。
【図２】本発明の第１実施形態に係る情報処理システム２を構成する画像形成装置４を示す断面図である。
【図３】画像形成装置４のハードウェア構成を示すブロック図である。
【図４】本発明の第１実施形態に係る情報処理システム２を構成する情報処理装置６のハードウェア構成を示す模式図である。
【図５】情報処理システム２の機能構成を示すブロック図である。
【図６】印刷設定部９０を構成する情報処理プログラム６４のブロック図である。
【図７】情報処理装置６に係るユーザインタフェース装置７６の平面図である。
【図８】受付部１０４から取得した位置情報に基づいて生成された有効ジェスチャーリストに従って表示された入力案内表示の一例を示す平面図である。
【図９】設定内容案内リストに従って、表示された設定内容案内の一例を示す平面図である。
【図１０】入力案内と、設定内容案内と、設定項目の内容との対応の一例を示す表である。
【図１１】設定情報表示制御部１１４により表示される印刷設定情報表示を示す平面図である。
【図１２】重複する入力案内について、交互に表示する場合の表示制御部１０８による表示を示す平面図である。
【図１３】印刷設定部９０の動作を示すフローチャートである。
【図１４】案内表示処理（Ｓ１０２）の動作を示すフローチャートである。
【図１５】本発明の第２実施形態に係るデジタルカメラ１５２の平面図である。
【図１６】デジタルカメラ１５２の持ち方を変更した場合の表示の一例を示す平面図である。
【図１７】第２実施形態に係る、入力案内、設定内容案内、及び設定項目の内容の対応関係の一例を示す表である。
【図１８】第２実施形態に係る情報処理プログラムによって表示される、入力案内、設定内容案内、印刷設定情報表示を示す平面図である。
【発明を実施するための形態】
【００３４】
以下、本発明の第１実施形態について図面を参照して詳細に説明する。
図１は、本発明の第１実施形態に係る情報処理システム２を示す模式図である。図１に示すように、情報処理システム２において、画像形成装置４及び情報処理装置６が通信回線８を介して接続されている。なお、画像形成装置４および情報処理装置６の設置数は任意である。
【００３５】
図２は、画像形成装置４を示す断面図である。
画像形成装置４は、ユーザインタフェース装置１０、印刷装置１２、及び画像読取装置１４を有している。
【００３６】
ユーザインタフェース装置１０は、画像形成装置４と一体に、又は通信回線を介して設けられる。また、ユーザインタフェース装置１０は、例えばタッチパネルなどとして構成され、表示部に情報を表示し、又は、操作者によってなされる表示部の表示領域内の位置の指定を入力として受付ける。
【００３７】
印刷装置１２は、例えば３段の記録媒体供給カセット１６を有し、これら記録媒体供給カセット１６のそれぞれには供給ヘッド１８が設けられている。
【００３８】
記録媒体供給カセット１６の一つが選択されると、供給ヘッド１８が作動して選択された記録媒体供給カセット１６から記録媒体供給路２０を介して画像形成機構部２２に供給される。
【００３９】
画像形成機構部２２は、イエロー、マゼンタ、シアン及びブラックの各感光体２４が併設されていると共に、中間転写ベルト２６が設けられている。
【００４０】
各感光体２４の周囲には、帯電装置、露光装置、現像装置、一次転写装置及びクリーニング装置など（図示せず）が配置され、各感光体２４に形成されたトナー像が中間転写ベルト２６に転写される。白黒設定された場合は、ブラックのみが作動可能であるようにされる。
【００４１】
中間転写ベルト２６のトナー像は、二次転写ロール２８により、送られてきた記録媒体に転写され、定着装置３０により定着され、このトナー像が定着された記録媒体が記録媒体排出路３２を通って排出部３４に排出される。
【００４２】
ただし、両面印刷が設定された場合は、定着装置３０により表面が定着された記録媒体は、記録媒体排出路３２から反転装置３６に送られ、この反転装置３６で反転され、記録媒体反転路３８に送られ、再び記録媒体供給路２０に戻され、画像形成機構部２２に送られて裏面の印刷がなされる。
【００４３】
画像読取装置１４は、両面原稿の読み取りが可能な自動原稿送り装置４０を有し、この自動原稿送り装置４０により原稿はプラテン４２に送られ、このプラテン４２上でＣＣＤ等からなる読取部４４により原稿の画像が読み取られる。
【００４４】
自動原稿送り装置４０に原稿がセットされたか否かを検出する原稿セット検出器４６が設けられている。また、自動原稿送り装置４０はプラテンカバーを兼ねており、このプラテンカバーを開けることにより原稿をプラテン４２上に置くことができる。このプラテンカバーの開閉は、プラテンカバー開閉検出器４８により検出できるようになっている。
【００４５】
また、この画像形成装置４は、ＬＡＮ等の通信回線８に接続される図示しない通信装置が設けられている。画像形成装置４に設けられた通信装置を用いることで、後述する情報処理装置６から送信された印刷データを印刷することができる。また、画像形成装置４は、公衆回線へ接続されたファクシミリ用のモデムが設けられ、ファクス機能（図示せず）を有してもよい。
【００４６】
図３は、画像形成装置４のハードウェア構成を示すブロック図である。
【００４７】
図３に示すように、画像形成装置４は、ユーザインタフェース装置１０とともに、ＣＰＵ５０、メモリ５２、入出力インタフェース５４、スキャンインタフェース５６、通信インタフェース５８、ファクシミリ用のモデムインタフェース６０、及び記憶装置６２がバス接続された構成となっている。
【００４８】
画像形成装置４は、情報処理装置６及び他の装置との通信が可能なコンピュータとしての構成部分を有している。
【００４９】
ＣＰＵ５０は、メモリ５２又は記憶装置６２に書き込まれた後述する情報処理プログラム６４を含むプログラムを実行することにより、各回路を制御する。ユーザインタフェース装置１０を介して受け付けられた入力はＣＰＵ５０に伝達され、ＣＰＵ５０により処理された表示情報がユーザインタフェース装置１０に伝達される。
【００５０】
なお、ＣＰＵ５０は、ＣＤＲＯＭ等の記憶媒体に格納された情報処理プログラム６４を実行してもよく、又は後述の通信インタフェース５８を介して提供される情報処理プログラム６４を実行してもよい。
【００５１】
入出力インタフェース５４には、図２の原稿セット検出器４６からの原稿セット検出信号と、図２のプラテンカバー開閉検出器４８からのプラテンカバー開閉信号が入力される。
【００５２】
スキャンインタフェース５６は、図２の画像読取装置１４に接続され、画像読取装置１４からの信号が入力される。
【００５３】
通信インタフェース５８は、画像形成装置１０に設けられた通信装置に接続され、通信回線８を介して接続された情報処理装置６からの印刷データが入力される。
【００５４】
モデムインタフェース６０は、画像形成装置４に設けられたファクシミリ用モデムに接続され、ファクス機能が実現可能に構成されている。
【００５５】
ここで、ユーザインタフェース装置１０及び後述する情報処理プログラム６４は、入力表示装置の一例である。
【００５６】
次に、情報処理装置６について説明する。図４は、情報処理装置６のハードウェア構成を示す模式図である。
【００５７】
図４に示すように、情報処理装置６は、ＣＰＵ６６及びメモリ６８などを含む本体７０、記憶装置７２、記憶媒体７４、ユーザインタフェース装置７６、及び通信インタフェース７８から構成され、情報処理装置６は、他の装置との通信が可能なコンピュータとしての構成部分を有している。
【００５８】
ＣＰＵ６６は、メモリ６８に記憶された後述する情報処理プログラム６４に基づく処理を実行する。記憶装置７２は、内蔵ＨＤＤなどであり、記憶媒体７４は、ＣＤ、ＦＤ及び外付けＨＤＤなどである。ＣＰＵ６６は、記憶装置７２又は記憶媒体７４に記憶された情報処理プログラム６４を実行してもよい。
【００５９】
ユーザインタフェース装置７６は、画像形成装置４に係るユーザインタフェース装置１０と同様、例えばタッチパネルなどとして構成され、表示部８０に情報を表示し、又は、操作者によってなされる表示部８０の表示領域内の位置の指定を入力として受付ける。
【００６０】
通信インタフェース７８は、通信回線８を介して画像形成装置４の通信インタフェース５８と接続されており、画像形成装置４に対し印刷データなどを出力する。
【００６１】
ここで、ユーザインタフェース装置７６及び後述する情報処理プログラム６４は、入力表示装置の一例である。
【００６２】
以上から構成される情報処理システム２における印刷の設定について説明する。
図５は、情報処理システム２の機能構成を示すブロック図である。
【００６３】
情報処理装置６は、印刷データを画像形成装置４に向けて送信し印刷要求を行うものであり、アプリケーション８２、ドライバ８４、及び通信インタフェース７８を有している。
【００６４】
アプリケーション８２は、描画コマンド（描画命令）を生成するソフトウェアであり、例えばメモリ６８に記憶されており、ＣＰＵ６６によって実行される。
【００６５】
ドライバ８４は、アプリケーション８２からの描画コマンドを解析してページデータに加工する描画コマンド解析部８６、ページデータを格納するページデータ記憶部８８、操作者の意図する印刷設定を行う機能を有する印刷設定部９０、及び印刷設定部９０によって設定された印刷設定情報及び、画像形成装置４から取得した印刷設定に関する情報を格納する印刷パラメータ記憶部９２を有している。なお、印刷設定部９０の詳細は、後述する。
【００６６】
通信インタフェース７８は、上述のとおり、情報処理装置６と画像形成装置４とを接続する情報処理装置６側のインタフェースであり、その種類は特に限定しない。たとえば、通信インタフェース７８としては、ＵＳＢポートやネットワークポートが挙げられる。通信インタフェース７８を介して、印刷設定部９０による印刷設定が反映されたページデータである印刷データが、画像形成装置４に出力される。
【００６７】
画像形成装置４は、情報処理装置６からの印刷データに基づいて印刷する。また、画像形成装置４は、画像読取装置１４により読み取られた画像を印刷する。
【００６８】
画像形成装置４は、通信インタフェース５８、スキャンインタフェース５６、印刷データ解析部９４、パラメータ記憶部９６、画像データ記憶部９８、印刷部１００、及び印刷設定部１０２を有している。
【００６９】
通信インタフェース５８は、上述のとおり、情報処理装置６と画像形成装置４とを接続する画像形成装置４側のインタフェースであり、その種類は特に限定しない。たとえば、通信インタフェース５８としては、ＵＳＢポートやネットワークポートが挙げられる。通信インタフェース５８を介して、印刷データが、画像形成装置４に入力される。
【００７０】
スキャンインタフェース５６には、上述の通り、画像読取装置１４からの画像読取装置１４により読み取られた画像信号が入力される。
【００７１】
印刷データ解析部９４は、通信インタフェース５８を介して入力された印刷データを解析し、画像データ記憶部９８は、印刷データ解析部９４により解析されたデータを格納する。印刷部１００は、画像データ記憶部９８に格納されたデータについて印刷する機能を有し、具体的には、印刷設定部９０又は印刷設定部１０２によって設定された設定内容に基づいて、印刷装置１２による印刷を行なう。
【００７２】
印刷設定部１０２は、情報処理装置６の印刷設定部９０と同様の機能を有する。ここで、印刷設定部１０２は、スキャンインタフェースを介して取得した、画像読取装置１４により読み取られた画像についての印刷データを印刷する場合に、操作者の意図する印刷設定を行う機能を有する。ただし、印刷設定部１０２は、画像読取装置１４により読み取られた画像についての印刷データを印刷する場合のみならず、情報処理装置６から送信された印刷データについても、操作者の意図する印刷設定を行う機能を有してもよい。
【００７３】
パラメータ記憶部９６は、印刷設定部１０２によって設定された印刷設定情報及び、画像形成装置４が有する印刷設定に関する情報を格納する。
【００７４】
次に、情報処理装置６の印刷設定部９０の詳細について説明する。図６は、印刷設定部９０を構成する情報処理プログラム６４を示すブロック図である。なお、画像形成装置４の印刷設定部１０２については、印刷設定部９０と同様の構成であるため、説明を省略する。
【００７５】
情報処理プログラム６４は、受付部１０４、設定部１０６、及び表示制御部１０８から構成されている。
【００７６】
受付部１０４は、ユーザインタフェース装置７６からの位置情報を受付ける。本実施形態に示す例では、受付部１０４は、タッチパネルとして構成されたユーザインタフェース装置７６の表示部８０の表示領域内の位置を指定する位置情報を受付ける。
【００７７】
設定部１０６は、受付部１０４から入力された位置情報に対応する設定項目の内容を印刷の設定内容として設定し、設定された内容を印刷設定情報としてページデータ記憶部８８及び印刷パラメータ記憶部９２に出力する。なお、画像形成装置４の印刷設定部１０２については、パラメータ記憶部９６に出力する。
【００７８】
表示制御部１０８は、入力案内表示制御部１１０、設定内容案内表示制御部１１２、及び設定情報表示制御部１１４から構成されており、入力案内表示制御部１１０及び設定内容案内表示制御部１１２は、後述する案内情報をユーザインタフェース装置７６の表示部８０に表示するように制御し、設定情報表示制御部１１４は、設定部１０６により現在設定されている内容を示す情報を表示部８０に表示するように制御する。なお、画像形成装置４における表示制御部１０８については、ユーザインタフェース装置１０の表示部に表示することとなる。
【００７９】
次に受付部１０４の説明のため、受付部１０４へ位置情報を出力するユーザインタフェース装置７６について説明する。
図７は、情報処理装置６に係るユーザインタフェース装置７６の平面図である。以下、情報処理装置６を例に説明するが、画像形成装置４においても同様である。
【００８０】
図７に示すようにユーザインタフェース装置７６には、表示部８０がある。表示部８０は、表示領域１１６内に情報を表示する。図７に示した例では、印刷前に表示されるプレビュー画面が表示領域１１６内に表示されており、印刷設定の際に、表示制御部１０８が表示する初期状態の表示である。また、表示部８０は、表示領域１１６内の位置を指定することが可能に構成されており、入力部としても機能する。表示領域１１６内の位置の指定は、操作者によるジェスチャーによってなされ、例えば、操作者が表示領域を指やペンなどで触れることにより、触れられた位置が指定される。
【００８１】
ここで、ジェスチャーとは、操作者によりなされる位置の連続的な指定操作、又は非連続的な指定操作をいう。例えば、上記の例によれば、操作者が表示領域１１６内のいずれかの場所に触れた指を表示領域１１６内で動かすことにより軌跡の位置情報が入力される。また、操作者が表示領域１１６内のいずれかの場所に触れ、動かすことなく触れた指を離すことで、点の位置情報が入力される。なお、位置情報とは、例えば、表示領域１１６内の座標をいう。
【００８２】
ユーザインタフェース装置７６は、図７に示すように表示部８０の他に、ボタンによる入力を可能とするボタン入力部１１８を有してもよい。
【００８３】
受付部１０４は、ユーザインタフェース装置７６に対する操作者によるジェスチャーが開始されると、ジャスチャーが開始されたことを示す情報を保持する。本実施形態では、ジャスチャーが開始されたことを示す情報の保持として、受付部１０４は、設定中フラグをセットする。
【００８４】
受付部１０４は、上述のようにしてユーザインタフェース装置７６に対してなされた入力の位置情報を受付け、後述する入力案内表示制御部１１０へ出力する。また、ユーザインタフェース装置７６に対する操作者によるジェスチャーが完了すると、当該ジェスチャーについての位置情報を設定部１０６に出力する。
【００８５】
次に、設定部１０６について、より詳細に説明する。
設定部１０６は、受付部１０４からの位置情報に基づいて、印刷の設定項目の内容を設定する。設定項目の内容としては、例えば、「両面印刷（短辺綴じ）」、「両面印刷（長辺綴じ）」、「２ページをまとめて１枚に印刷」、「小冊子として印刷」、「原稿の向きを変更して印刷」、「出力用紙サイズを変更（拡大）」、及び「出力用紙サイズを変更（縮小）」などがある。
【００８６】
上記の設定項目の内容のそれぞれに対し、予め定められた位置情報が関連付けられており、設定部１０６は、受付部１０４からの位置情報と、これら予め定められた位置情報とを比較する。
なお、各設定項目の内容と予め定められている各位置情報との関係の具体例については後述する。
【００８７】
設定部１０６は、比較の結果、これらの複数の予め定められた位置情報のうち、受付部１０４からの位置情報と対応付けることができたものに関連付けられている設定項目の内容を設定する。ここで、対応付けることができるとは、例えば、受付部１０４からの位置情報と予め定められた位置情報との一致度合いが基準値を超えた場合をいう。
【００８８】
また、設定部１０６は、設定情報表示制御部１１４に対して現在の設定項目の内容を印刷設定情報として出力する。
【００８９】
次に、表示制御部１０８について、より詳細に説明する。
設定情報表示制御部１１４は、設定部１０６から印刷設定情報を取得し、現在の印刷設定の設定状況を表示する。設定情報表示制御部１１４は、例えば、図７に示す印刷設定情報表示１２０を表示する。
【００９０】
入力案内表示制御部１１０は、図７に示すように、例えば入力案内１２２〜１３２を表示するよう制御する。ここで、入力案内とは、操作者によるジェスチャー入力を補助する情報（ガイド線）であり、具体的には、設定項目の内容の設定を行ないうるジェスチャー（位置情報）の軌跡を表示する情報である。例えば、図７に示すように、各入力案内は矢印として表示される。この場合、操作者は、矢印の始端側から終端側に向けてジェスチャー入力を行うことにより、当該ジェスチャーに関連付けられている設定項目の内容の設定が設定部１０６によりなされる。
【００９１】
なお、図７に示した入力案内１３２は、マルチタッチを案内する入力案内であり、他の入力案内とは異なる色で表示される。マルチタッチとは、複数の位置を同時に指定する操作を入力することにより設定がなされるジェスチャーをいう。設定部１０６は、例えば、入力案内１３２に対応する位置情報（複数の軌跡）が受付部１０４から入力されると、当該入力案内１３２に関連付けられている設定（後述する図１０で示す「原稿の向きを変更して印刷」の設定）を行なう。
【００９２】
入力案内表示制御部１１０は、有効ジェスチャーリストを生成し、生成した有効ジェスチャーリストに従って、入力案内を表示する。有効ジェスチャーリストは、現在の印刷設定の状況から可能な設定を抽出し、この抽出した設定に対応するジェスチャーを一覧にしたものである。
【００９３】
入力案内表示制御部１１０は、設定部１０６から現在の設定状況を示す情報である印刷設定情報を取得し、当該印刷設定情報に基づいて有効ジェスチャーリストを生成する。例えば、現在の用紙サイズ設定が最大の設定となっている場合には、有効ジェスチャーリストには、「出力用紙サイズを変更（拡大）」の設定は含まれないこととなる。つまり、この設定内容と関連付けられている入力案内１２８は、表示されない。入力案内表示制御部１１０は、生成した有効ジェスチャーリストに挙げられているジェスチャー（位置情報）を表示部８０に表示する。
【００９４】
また、入力案内表示制御部１１０は、受付部１０４から位置情報を取得した場合（操作者によるタッチ入力があった場合）、有効ジェスチャーリストに挙げられているジェスチャーのうち、当該位置情報を含まないジェスチャーを有効ジェスチャーリストから除く。
【００９５】
図８は、受付部１０４から取得した位置情報に基づいて生成された有効ジェスチャーリストに従って表示された入力案内表示の一例を示す平面図である。図８において、タッチ位置１３４は、操作者により入力された位置を示す。図８に示した例では、タッチ位置１３４を位置情報として用いるジェスチャーとして、入力案内１２２及び１２４が表示されている。また、入力案内１２２及び１２４に対して、後述する設定内容案内１３６及び設定内容案内１３８が表示されている。
【００９６】
また、入力案内表示制御部１１０は、有効ジェスチャーリストに挙げられているジェスチャーのうち、使用頻度が他のジェスチャーと比べて低いものについて、有効ジェスチャーリストから除いてもよい。
【００９７】
また、入力案内表示制御部１１０は、表示対象として設定されたもの以外のジェスチャーについて、有効ジェスチャーリストから除いてもよい。表示対象は、例えば操作者により設定され、入力案内表示制御部１１０は、表示対象として設定されたジェスチャーを表示する。
【００９８】
設定内容案内表示制御部１１２は、入力案内表示制御部１１０が表示する入力案内とともに表示される設定内容案内を表示するよう制御する。設定内容案内は、当該入力案内の設定内容を示す情報を表示するものであり、例えば、図９に示す設定内容案内１３６〜１４６のように表示する。設定内容案内１３６〜１４６は、当該設定がなされた場合における印刷設定の設定状況を示す表示をすることで、設定内容を示している。
【００９９】
設定内容案内表示制御部１１２は、設定内容案内リストを生成し、生成した設定内容案内リストに従って、設定内容案内を表示する。設定内容案内リストは、入力案内表示制御部１１０による表示対象の入力案内に対応する設定内容案内を一覧にしたものである。
【０１００】
設定内容案内表示制御部１１２は、入力案内表示制御部１１０が生成した有効ジェスチャーリストに基づいて、設定内容案内リストを生成し、生成した設定内容案内リストに従って、設定内容案内を表示する。
【０１０１】
また、設定内容案内表示制御部１１２は、入力案内表示制御部１１０が受付部１０４から位置情報を取得していない場合には、設定内容案内を表示しないようにすることもできる。これは、例えば操作者により設定され、設定内容案内表示制御部１１２は、当該設定に基づいて、入力案内表示制御部１１０が受付部１０４から位置情報を取得していない場合に、設定内容案内を表示するか否かを決定する。
【０１０２】
図１０は、入力案内表示制御部１１０により表示される入力案内と、設定内容案内表示制御部１１２により表示される設定内容案内と、設定部１０６により設定される設定項目の内容との対応の一例を示す表である。なお、図１０の表中において、入力案内の欄には、入力案内及び印刷設定情報表示が図示されている。
【０１０３】
入力案内表示制御部１１０は、有効ジェスチャーリストに従って、図１０に示す設定内容のうち現在の設定状況から可能なものに対応する入力案内を表示部８０に表示する。
また、設定内容案内表示制御部１１２は、設定内容案内リストに従って、図１０に示す設定内容案内のうち入力案内表示制御部１１０が表示する入力案内に対応するものについて表示部８０に表示する。
【０１０４】
設定部１０６は、予め定められた位置情報（ジェスチャー）として、図１０に示す入力案内の位置情報と対応する位置情報を保持しており、この保持されている位置情報と受付部１０４からのジェスチャーの位置情報とを比較し、該当する設定内容を設定する。
【０１０５】
設定情報表示制御部１１４は、設定部１０６から取得した印刷設定情報に基づいて、印刷設定の設定状況を示す表示として印刷設定情報表示を表示するよう制御する。ここで、印刷設定情報表示として、印刷対象の画像が表示されても良い。
【０１０６】
なお、設定部１０６により設定された後の印刷設定情報表示は、例えば、図１０に示す設定内容案内の図柄が表示されるようにしてもよい。また、設定部１０６により設定された後に当該設定をなしたジェスチャーが再度行われることにより、設定が戻されるようにしてもよい。これについて、図１１を用いて説明する。
【０１０７】
図１１は、設定情報表示制御部１１４により表示される印刷設定情報表示を示す平面図である。
【０１０８】
図１１（ａ）に示す例では、設定情報表示制御部１１４は、印刷設定情報表示１２０を表示し印刷設定の設定状況を示している。なお、印刷設定情報表示１２０は、印刷設定の初期状態における設定状況を示すものである。また、操作者により入力された位置であるタッチ位置１３５に基づいて、入力案内表示制御部１１０は、入力案内１２２を表示しており、さらに、設定内容案内表示制御部１１２は、入力案内１２２に対応するジェスチャーと関連付けられた設定の設定内容として設定内容案内表示１３６を表示している。
【０１０９】
ここで、操作者により、入力案内１２２に対応するジェスチャー入力がなされると、設定部１０６により、設定内容案内表示１３６の示す「両面印刷（短辺綴じ）」の設定がなされる。設定部１０６による設定がなされることにより、設定情報表示制御部１１４は、図１１（ａ）に示ように印刷設定情報表示１２１を表示する。この状態で、操作者が、タッチ位置１３５をタッチすると、入力案内表示制御部１１０は、入力案内１２２を表示し、設定内容案内表示制御部１１２は、入力案内１２３に対応するジェスチャーと関連付けられた設定の設定内容として設定内容案内表示１３７を表示する。
【０１１０】
さらに、操作者により、入力案内１２３に対応するジェスチャー入力がなされると、設定部１０６により、両面印刷（短辺綴じ）の設定を元に戻す設定がなされる。
【０１１１】
なお、設定情報表示制御部１１４は、設定部１０６により、「出力用紙サイズを変更（拡大）」又は「出力用紙サイズを変更（縮小）」の設定がなされた場合、設定に合わせて、拡大又は縮小された印刷設定情報表示を表示してもよい。
【０１１２】
以上が、表示制御部１０８の構成となるが、表示制御部１０８は、少なくとも一部が重複する入力案内について、交互に表示するように構成してもよい。
【０１１３】
図１２は、重複する入力案内について、交互に表示する場合の表示制御部１０８の表示を示す平面図である。
図１２（ａ）及び（ｂ）に示すように、入力案内１２６と入力案内１４８とは、表示位置が重複している。このような場合、表示制御部１０８は、重複している入力案内を交互に表示する（図１２（ａ）に示す表示と、図１２（ｂ）に示す表示とを交互に行なう）。なお、少なくとも一部が重複する入力案内について、相互に異なる色を用いて表示してもよい。
【０１１４】
また、図１２に示すように、重複する入力表示が交互に表示されることにともない、入力表示に対応する設定内容案内１４４及び１５０も交互に表示されることとなる。
【０１１５】
この場合、入力案内表示制御部１１０は、現在表示している入力案内を表示してから予め定められた時間が経過するごとに、重複する他の入力案内へと表示を切り替える。
【０１１６】
例えば、交互に表示される入力案内のうち、重複する表示のうちいずれを表示すべきかを示す情報として、交互表示フラグを設け、入力案内表示制御部１１０は、交互表示フラグを参照して表示をし、予め定められた時間ごとに交互表示フラグの情報を切り替える。
【０１１７】
なお、図１２に示す入力案内１２８及び入力案内１３０のように、重複する入力案内について交互に表示させなくてもよい。
【０１１８】
次に、情報処理装置６の印刷設定部９０の動作について説明する。図１３及び図１４は、情報処理装置６の印刷設定部９０の動作を示すフローチャートである。なお、画像形成装置４の印刷設定部１０２の動作については、印刷設定部９０と同様の動作であるため、説明を省略する。
【０１１９】
ステップ１００（Ｓ１００）において、設定部１０６は、印刷設定情報を初期化し、ステップ１０２へ移行する。
【０１２０】
ステップ１０２（Ｓ１０２）において、後述する案内表示処理がなされ、ステップ１０４へ移行する。
【０１２１】
ステップ１０４（Ｓ１０４）において、入力案内表示制御部１１０は、重複する入力表示を交互に表示するための予め定められた時間が経過したか否かを判定する。予め定められた時間が経過している場合は、ステップ１０６へ移行し、予め定められた時間が経過していない場合は、ステップ１０８へ移行する。
【０１２２】
ステップ１０６（Ｓ１０６）において、入力案内表示制御部１１０は、交互に表示する入力表示のうち、次に表示すべき入力表示へと、交互表示フラグの情報を切り替え、ステップ１０２へと戻る。
【０１２３】
ステップ１０８（Ｓ１０８）において、受付部１０４は、ユーザインタフェース装置７６からの位置情報を受付けたか否か（タッチ入力があったか否か）を判定し、位置情報を受付けた場合には、受付部１０４は、入力案内表示制御部１１０に対して位置情報を出力し、ステップ１１０へ移行する。一方、位置情報を受け付けていない場合には、ステップ１０４へと戻る。
【０１２４】
ステップ１１０（Ｓ１１０）において、受付部１０４は、ユーザインタフェース装置７６に対する操作者によるジェスチャーが完了したか否かを判定し、完了したと判定した場合は、設定部１０６へ位置情報を出力し、ステップ１１２へ移行する。一方、完了していないと判定した場合は、ステップ１１４へ移行する。
【０１２５】
ステップ１１２（Ｓ１１２）において、設定部１０６は、受付部１０４から入力された位置情報に対応する設定項目の内容を印刷の設定内容として設定し、設定された印刷設定内容をページデータ記憶部８８及び印刷パラメータ記憶部９２に出力する。また、設定部１０６は、設定情報表示制御部１１４に対して現在の設定項目の内容を印刷設定情報として出力し、ステップ１０２へと戻る。
【０１２６】
ステップ１１４（Ｓ１１４）において、受付部１０４は、設定中フラグをセットし、ステップ１０２へと戻る。
【０１２７】
次に、案内表示処理（Ｓ１０２）の動作について説明する。図１４は、案内表示処理（Ｓ１０２）の動作を示すフローチャートである。
【０１２８】
ステップ２００（Ｓ２００）において、入力案内表示制御部１１０は、設定中フラグがセットされているか確認することにより、受付部１０４から位置情報を取得した否かを判定する。設定中フラグがセットされていない場合には、ステップ２０２へ移行し、設定中フラグがセットされている場合には、ステップ２０４へ移行する。
【０１２９】
ステップ２０２（Ｓ２０２）において、入力案内表示制御部１１０は、設定部１０６から現在の設定状況を示す情報である印刷設定情報を取得し、当該印刷設定情報に基づいて有効ジェスチャーリストを生成し、ステップ２０６へ移行する。
【０１３０】
一方、ステップ２０４（Ｓ２０４）では、入力案内表示制御部１１０は、設定部１０６から現在の設定状況を示す情報である印刷設定情報を取得し、当該印刷設定情報に基づいて有効ジェスチャーリストを生成し、有効ジェスチャーリストに挙げられているジェスチャーのうち、受付部１０４から取得した位置情報を含まないジェスチャーを有効ジェスチャーリストから除く。そして、ステップ２１０へ移行する。
【０１３１】
ステップ２０６（Ｓ２０６）において、設定内容案内表示制御部１１２は、入力案内表示制御部１１０が受付部１０４から位置情報を取得していない場合に設定内容案内を表示しないように設定されているか否かを判定する。設定内容案内を表示しないように設定されている場合は、ステップ２０８へ移行し、設定内容案内を表示しないように設定されていない場合は、ステップ２１０へ移行する。
【０１３２】
ステップ２０８（Ｓ２０８）において、設定内容案内表示制御部１１２は、設定内容案内リストを削除し、ステップ２１２へ移行する。
【０１３３】
ステップ２１０（Ｓ２１０）において、設定内容案内表示制御部１１２は、入力案内表示制御部１１０が生成した有効ジェスチャーリストに挙げられているジェスチャーに関連付けられている設定内容案内を列挙して、設定内容案内リストを生成する。そして、ステップ２１２へ移行する。
【０１３４】
ステップ２１２（Ｓ２１２）において、入力案内表示制御部１１０は、交互表示フラグを参照し、重複する入力表示のうち表示対象ではない入力案内について、有効ジェスチャーリストから除外する。また、設定内容案内表示制御部１１２も、交互表示フラグを参照し、重複する入力表示のうち表示対象ではない入力案内に関連付けられている設定内容案内について設定内容案内リストから除外する。そして、ステップ２１４へ移行する。
【０１３５】
ステップ２１４（Ｓ２１４）において、入力案内表示制御部１１０は、有効ジェスチャーリストに挙げられているジェスチャー（位置情報）を入力案内として表示部８０に表示し、ステップ２１６へ移行する。
【０１３６】
ステップ２１６（Ｓ２１６）において、設定内容案内表示制御部１１２は、設定内容案内リストに挙げられている設定内容案内を表示部８０に表示する。
【０１３７】
以上の通り、案内表示処理（Ｓ１０２）が行なわれる。
【０１３８】
以下、本発明の第２実施形態について説明する。
図１５は、本発明の第２実施形態に係るデジタルカメラ１５２の平面図である。デジタルカメラ１５２は、撮像装置の一例であり、被写体を撮影し撮影画像を取得するよう構成されている。また、図１５に示すように、デジタルカメラ１５２には、表示部１５４及び表示領域１５６を有しており、第１実施形態におけるユーザインタフェース装置１０及び７６と同様の機能を有する。
【０１３９】
また、デジタルカメラ１５２には、図示しないＣＰＵ及びメモリなどが備えられ、コンピュータとしての構成部分を有しており、上述の情報処理プログラム６４と同様の情報処理プログラムを実行する。なお、第２実施形態において、設定部は、受付部から入力された位置情報に対応する設定項目の内容を撮影画像の取得についての設定内容として設定する。
【０１４０】
第２実施形態に係る情報処理プログラムは、図１５に示すように撮影設定の初期状態として、入力案内表示制御部が、入力案内１５８〜１６６を表示する。
【０１４１】
ここで、図１５は、デジタルカメラ１５２における撮影設定の際に、表示制御部１０８が表示する初期状態の表示である。デジタルカメラ１５２の表示部１５４には、撮影時には、撮影対象の画像であるとともに、現在の設定状況によるプレビューを表示するものである設定情報表示１６８が、表示領域１５６の全体に表示される。一方、撮影設定を行なう際には、図１５に示すように、撮影対象の画像１６８は縮小表示され、入力案内、設定内容案内を表示する領域が確保される。
【０１４２】
また、図１６に示すように、操作者が、デジタルカメラ１５２の持ち方を変更した場合、第２実施形態に係る入力案内部は、変更された持ち方の回転に合わせて、入力案内１５８〜１６６も回転させて表示する。
【０１４３】
図１７は、第２実施形態に係る、入力案内、設定内容案内、及び設定項目の内容の対応関係の一例を示す表である。
【０１４４】
第２実施形態では、撮影設定として、撮影感度の指標であるＩＳＯ感度、撮影画像の色合いを補正する補正量の指標であるホワイトバランス、撮影モード（人物撮影モード、景色撮影モード）、画素数を設定することができ各設定項目の内容に対し、図１７に示すように、入力案内及び設定内容案内が対応づいている。ここで、撮影モードの設定とは、被写体に応じて予め定められた設定内容により撮影画像を取得するように設定することをいい、例えば、人物撮影モードが設定され場合、人物の撮影に好適な設定により撮影画像が取得され、風景撮影モードが設定され場合、風景の撮影に好適な設定により撮影画像が取得される。
【０１４５】
図１８は、第２実施形態に係る情報処理プログラムによって表示される、入力案内、設定内容案内、印刷設定情報表示を示す平面図である。
図１８に示すように、図１７に示した対応関係に基づいて、入力案内１５８〜１６６及び１７０〜１７８、設定内容案内１８０〜１９８が表示される。ここで、入力案内１５８〜１６６は、入力案内１７０〜１７８とそれぞれ表示位置が重複しており、情報処理プログラムは、図１８（ａ）に示す表示と、図１８（ｂ）に示す表示とを交互に表示する。また、重複する入力案内について、相互に表示の色を変えて表示する。
【符号の説明】
【０１４６】
２            情報処理システム
４            画像形成装置
６            情報処理装置
１０、７６    ユーザインタフェース装置
８０          表示部
１０４        受付部
１０６        設定部
１０８        表示制御部
１１０        入力案内表示制御部
１１２        設定内容案内表示制御部
１１４        設定情報表示制御部
１５２        デジタルカメラ
【図１】
0005545497.tif 000002
【図２】
0005545497.tif 000003
【図３】
0005545497.tif 000004
【図４】
0005545497.tif 000005
【図５】
0005545497.tif 000006
【図６】
0005545497.tif 000007
【図７】
0005545497.tif 000008
【図８】
0005545497.tif 000009
【図９】
0005545497.tif 000010
【図１０】
0005545497.tif 000011
【図１１】
0005545497.tif 000012
【図１２】
0005545497.tif 000013
【図１３】
0005545497.tif 000014
【図１４】
0005545497.tif 000015
【図１５】
0005545497.tif 000016
【図１６】
0005545497.tif 000017
【図１７】
0005545497.tif 000018
【図１８】
0005545497.tif 000019